(57)【特許請求の範囲】
【請求項１】
圧縮機、熱源側熱交換器、四方弁、減圧装置及び利用側熱交換器を配管で接続して冷凍サイクルを形成し、前記利用側熱交換器を熱的に２分割して第１の利用側熱交換器と第２の利用側熱交換器とし、前記第１の利用側熱交換器と第２の利用側熱交換器との間に除湿絞り装置を設け、除湿運転時には、前記除湿絞り装置により、上流側となる前記第１の利用側熱交換器を凝縮器とし、下流側となる前記第２の利用側熱交換器を蒸発器とし、前記除湿絞り装置は、前記第１の利用側熱交換器に連通した第１の冷媒通路と、前記第２の利用側熱交換器に連通した第２の冷媒通路と、弁座により形成された前記第１の冷媒通路と前記第２の冷媒通路とを結ぶ第３の冷媒通路と、前記弁座に接触離間することによって前記第３の冷媒通路の開閉を行う弁体とを有し、前記弁体が前記弁座に当接して前記第３の冷媒通路を閉じたときに前記弁体と前記弁座との壁面で囲まれた絞り通路を形成し、前記弁体が前記弁座から離れて前記第３の冷媒通路を開いたときに前記絞り通路が前記第３の冷媒通路と一体になってその一部をなし、前記弁体が前記弁座に当接して前記第３の冷媒通路を閉じたときに形成される絞り通路を独立して複数段に形成したことを特徴とする空気調和機。
【請求項２】
圧縮機、熱源側熱交換器、四方弁、減圧装置及び利用側熱交換器を配管で接続して冷凍サイクルを形成し、前記利用側熱交換器を熱的に２分割して第１の利用側熱交換器と第２の利用側熱交換器とし、前記第１の利用側熱交換器と第２の利用側熱交換器との間に除湿絞り装置を設け、除湿運転時には、前記除湿絞り装置により、上流側となる前記第１の利用側熱交換器を凝縮器とし、下流側となる前記第２の利用側熱交換器を蒸発器とし、前記除湿絞り装置は、前記第１の利用側熱交換器に連通した第１の冷媒通路と、前記第２の利用側熱交換器に連通した第２の冷媒通路と、弁座により形成された前記第１の冷媒通路と前記第２の冷媒通路とを結ぶ第３の冷媒通路と、前記弁座に複数段に接触離間することによって前記第３の冷媒通路の開閉を行う弁体とを有し、前記弁体が前記弁座に複数段に当接して前記第３の冷媒通路を閉じたときに前記弁体と前記弁座との間に絞り通路を有するように前記弁体及び前記弁座の少なくとも一方に切り込み溝を形成し、前記弁体が前記弁座から離れて前記第３の冷媒通路を開いたときに前記絞り通路が前記第３の冷媒通路と一体になってその一部をなし、前記弁体が前記弁座に当接して前記第３の冷媒通路を閉じたときに形成される絞り通路を独立して複数段となるように各絞り通路の間に全周にわたって接続通路を形成したことを特徴とする空気調和機。
【請求項３】
圧縮機、熱源側熱交換器、四方弁、減圧装置及び利用側熱交換器を配管で接続して冷凍サイクルを形成し、前記利用側熱交換器を熱的に２分割して第１の利用側熱交換器と第２の利用側熱交換器とし、前記第１の利用側熱交換器と第２の利用側熱交換器との間に除湿絞り装置を設け、除湿運転時には、前記除湿絞り装置により、上流側となる前記第１の利用側熱交換器を凝縮器とし、下流側となる前記第２の利用側熱交換器を蒸発器とし、前記除湿絞り装置は、前記第１の利用側熱交換器に連通した第１の冷媒通路と、前記第２の利用側熱交換器に連通した第２の冷媒通路と、弁座により形成された前記第１の冷媒通路と前記第２の冷媒通路とを結ぶ第３の冷媒通路と、前記弁座に複数段に接触離間することによって前記第３の冷媒通路の開閉を行う弁体とを有し、前記弁体の傾斜面が前記弁座に２段に当接して前記第３の冷媒通路を閉じたときに前記弁体と前記弁座との間に絞り通路を有するように前記弁体及び前記弁座の少なくとも一方に複数の切り込み溝を形成し、前記弁体が前記弁座から離れて前記第３の冷媒通路を開いたときに前記絞り通路が前記第３の冷媒通路と一体になってその一部をなし、前記弁体が前記弁座に当接して前記第３の冷媒通路を閉じたときに形成される絞り通路を独立して２段となるように各絞り通路の間に全周にわたって接続通路を形成したことを特徴とする空気調和機。
【請求項４】
前記絞り通路を形成する１段目の切り込み溝及び２段目の切り込み溝を前記第１の冷媒通路への冷媒流入方向に対して対称に設けたことを特徴とする請求項３に記載の空気調和機。
【請求項５】
圧縮機、熱源側熱交換器、四方弁、減圧装置及び利用側熱交換器を配管で接続して冷凍サイクルを形成し、前記利用側熱交換器を熱的に２分割して第１の利用側熱交換器と第２の利用側熱交換器とし、前記第１の利用側熱交換器と第２の利用側熱交換器との間に除湿絞り装置を設け、除湿運転時には、前記除湿絞り装置により、上流側となる前記第１の利用側熱交換器を凝縮器とし、下流側となる前記第２の利用側熱交換器を蒸発器とし、前記除湿絞り装置は、前記第１の利用側熱交換器に連通した第１の冷媒通路と、前記第２の利用側熱交換器に連通した第２の冷媒通路と、弁座により形成された前記第１の冷媒通路と前記第２の冷媒通路とを結ぶ第３の冷媒通路と、前記弁座に接触離間することによって前記第３の冷媒通路の開閉を行う弁体とを有し、前記弁体が前記弁座に当接して前記第３の冷媒通路を閉じたときに前記弁体と前記弁座との壁面で囲まれた絞り通路を形成し、前記弁体が前記弁座から離れて前記第３の冷媒通路を開いたときに前記絞り通路が前記第３の冷媒通路と一体になってその一部をなし、前記弁体が前記弁座に当接して前記第３の冷媒通路を閉じたときに形成される絞り通路を独立して複数段に形成し、除湿運転の異常状態を検出する検出手段を設け、この検出手段の検出信号に基づいて前記除湿絞り装置の前記弁体と前記弁座とを離間することによって前記第３の冷媒通路を開にするように前記冷凍サイクルを制御することを特徴とする空気調和機。
【請求項６】
使用者が入力可能な入力手段を設け、この入力手段で入力された信号に基づいて前記圧縮機を可変速することを特徴とする請求項１〜４の何れかに記載の空気調和機。
【請求項７】
圧縮機、熱源側熱交換器、四方弁、減圧装置及び利用側熱交換器を配管で接続して冷凍サイクルを形成し、前記熱源側熱交換器と前記利用側熱交換器との間に前記減圧装置を設け、前記減圧装置は、前記熱源側熱交換器に連通した第１の冷媒通路と、前記利用側熱交換器に連通した第２の冷媒通路と、前記第１の冷媒通路と前記第２の冷媒通路とを結ぶ第３の冷媒通路を形成する弁座と、この弁座との間隙変化することによって前記第３の冷媒通路の絞り抵抗の調節を行う弁体とを有し、前記弁体と前記弁座とにより前記第３の冷媒通路で形成される絞り通路を独立して複数段に形成したことを特徴とする空気調和機。
【請求項８】
前記冷凍サイクル中に使用する冷媒をＨＦＣ４０７Ｃ、ＨＦＣ４１０ＡなどのＨＦＣ系冷媒またはプロパン、イソブタンなどの自然系冷媒としたことを特徴とする請求項１〜７の何れかに記載の空気調和機。
【発明の詳細な説明】
【０００１】
【発明の属する技術分野】
本発明は、空気調和機に係り、特に絞り装置を有する冷凍サイクルを備えた空気調和機に好適なものである。
【０００２】
【従来の技術】
従来の空気調和機としては、特開平８−１０５６７２号公報に示されているように、冷凍サイクルにより室温の低下を防ぎながら除湿を行う除湿運転が可能な空気調和機において、冷房運転あるいは暖房運転での性能低下を防ぎつつ、除湿運転時に除湿絞り装置で発生する冷媒流動音を低減するために、利用側熱交換器を二分割し、その間に除湿運転時に使用する除湿絞り装置を設けた冷凍サイクルとし、除湿絞り装置として、弁棒と弁座との隙間で形成される主冷媒通路と、この他に高圧側の冷媒流路と低圧側の冷媒流路とをつなぐ副冷媒通路を弁棒内に設けるものが公知である（従来技術１）。
【０００３】
また、従来の空気調和機としては、特開平１１−５１５１４号公報に示されているように、利用側熱交換器を二分割し、その間に除湿運転時に使用する除湿絞り装置を設けた冷凍サイクルにおいて、図３２に示すような除湿絞り装置６を用いることが案出されている。即ち、この除湿絞り装置６は、第１の利用側熱交換器に連通した第１の冷媒通路２３と、前記第２の利用側熱交換器に連通した第２の冷媒通路２４と、第１の冷媒通路２３と第２の冷媒通路２４とを結ぶ第３の冷媒通路である弁座通路２１を形成する弁座２０と、この弁座２０に接触離間することによって弁座通路２１の開閉を行う弁体１５とを有し、弁体１５が弁座２０に当接して弁座通路２１を閉じたときに弁体１５と弁座２０との壁面で囲まれた絞り通路２８を形成し、弁体１５が弁座から離れて弁座通路２１を開いたときに絞り通路２８が弁座通路２１と一体になってその一部をなすようにしたものである（従来技術２）。
【０００４】
【発明が解決しようとする課題】
しかしながら、従来技術１及び２のものにおいては、除湿運転時における除湿性能の向上及び消費電力量の低減を図ろうとすると、除湿絞り装置における冷媒流動音が増大したり、さらに従来技術１のものにおいてはゴミ詰まりによる除湿性能の低下及び弁棒又は弁体のロックの可能性が増大するという問題が生ずる。
【０００５】
即ち、除湿性能の向上及び消費電力量の低減を図るために、除湿絞り装置の絞り量を増大して蒸発温度を低下させることが考えられるが、絞り量を増大する方法としては、従来技術１のものにおいては弁棒と弁座との隙間で形成される主冷媒通路及び弁棒内に設けられる複冷媒通路の通路断面積を小さくすること、一方、従来技術２のものにおいては弁体と弁座の壁面で囲まれた絞り通路の通路断面積を小さくすることが考えられる。しかし、このように絞り通路の通路断面積を単に小さくすれば、除湿絞り装置における冷媒流動音の増大、さらに従来技術１のものにおいてはゴミ詰まり等による除湿性能の低下及び弁棒又は弁体のロックの可能性の増大を招いてしまうものである。
【０００６】
本発明の目的は、簡単な構成で、除湿運転時における除湿性能の向上及び消費電力量の低減を図ると共に、除湿絞り装置で発生する冷媒流動音の低減、ゴミ等による絞り通路の詰まりを防止することができる空気調和機を提供することにある。
【０００７】
【課題を解決するための手段】
上記目的を達成するための本発明の第１の特徴は、圧縮機、熱源側熱交換器、四方弁、減圧装置及び利用側熱交換器を配管で接続して冷凍サイクルを形成し、前記利用側熱交換器を熱的に２分割して第１の利用側熱交換器と第２の利用側熱交換器とし、前記第１の利用側熱交換器と第２の利用側熱交換器との間に除湿絞り装置を設け、除湿運転時には、前記除湿絞り装置により、上流側となる前記第１の利用側熱交換器を凝縮器とし、下流側となる前記第２の利用側熱交換器を蒸発器とし、前記除湿絞り装置は、前記第１の利用側熱交換器に連通した第１の冷媒通路と、前記第２の利用側熱交換器に連通した第２の冷媒通路と、弁座により形成された前記第１の冷媒通路と前記第２の冷媒通路とを結ぶ第３の冷媒通路と、前記弁座に接触離間することによって前記第３の冷媒通路の開閉を行う弁体とを有し、前記弁体が前記弁座に当接して前記第３の冷媒通路を閉じたときに前記弁体と前記弁座との壁面で囲まれた絞り通路を形成し、前記弁体が前記弁座から離れて前記第３の冷媒通路を開いたときに前記絞り通路が前記第３の冷媒通路と一体になってその一部をなし、前記弁体が前記弁座に当接して前記第３の冷媒通路を閉じたときに形成される絞り通路を独立して複数段に形成したことにある。
【０００８】
本発明の第２の特徴は、圧縮機、熱源側熱交換器、四方弁、減圧装置及び利用側熱交換器を配管で接続して冷凍サイクルを形成し、前記利用側熱交換器を熱的に２分割して第１の利用側熱交換器と第２の利用側熱交換器とし、前記第１の利用側熱交換器と第２の利用側熱交換器との間に除湿絞り装置を設け、除湿運転時には、前記除湿絞り装置により、上流側となる前記第１の利用側熱交換器を凝縮器とし、下流側となる前記第２の利用側熱交換器を蒸発器とし、前記除湿絞り装置は、前記第１の利用側熱交換器に連通した第１の冷媒通路と、前記第２の利用側熱交換器に連通した第２の冷媒通路と、弁座により形成された前記第１の冷媒通路と前記第２の冷媒通路とを結ぶ第３の冷媒通路と、前記弁座に複数段に接触離間することによって前記第３の冷媒通路の開閉を行う弁体とを有し、前記弁体が前記弁座に複数段に当接して前記第３の冷媒通路を閉じたときに前記弁体と前記弁座との間に絞り通路を有するように前記弁体及び前記弁座の少なくとも一方に切り込み溝を形成し、前記弁体が前記弁座から離れて前記第３の冷媒通路を開いたときに前記絞り通路が前記第３の冷媒通路と一体になってその一部をなし、前記弁体が前記弁座に当接して前記第３の冷媒通路を閉じたときに形成される絞り通路を独立して複数段となるように各絞り通路の間に全周にわたって接続通路を形成したことにある。
【０００９】
本発明の第３の特徴は、圧縮機、熱源側熱交換器、四方弁、減圧装置及び利用側熱交換器を配管で接続して冷凍サイクルを形成し、前記利用側熱交換器を熱的に２分割して第１の利用側熱交換器と第２の利用側熱交換器とし、前記第１の利用側熱交換器と第２の利用側熱交換器との間に除湿絞り装置を設け、除湿運転時には、前記除湿絞り装置により、上流側となる前記第１の利用側熱交換器を凝縮器とし、下流側となる前記第２の利用側熱交換器を蒸発器とし、前記除湿絞り装置は、前記第１の利用側熱交換器に連通した第１の冷媒通路と、前記第２の利用側熱交換器に連通した第２の冷媒通路と、弁座により形成された前記第１の冷媒通路と前記第２の冷媒通路とを結ぶ第３の冷媒通路と、前記弁座に複数段に接触離間することによって前記第３の冷媒通路の開閉を行う弁体とを有し、前記弁体の傾斜面が前記弁座に２段に当接して前記第３の冷媒通路を閉じたときに前記弁体と前記弁座との間に絞り通路を有するように前記弁体及び前記弁座の少なくとも一方に複数の切り込み溝を形成し、前記弁体が前記弁座から離れて前記第３の冷媒通路を開いたときに前記絞り通路が前記第３の冷媒通路と一体になってその一部をなし、前記弁体が前記弁座に当接して前記第３の冷媒通路を閉じたときに形成される絞り通路を独立して２段となるように各絞り通路の間に全周にわたって接続通路を形成したことにある。
【００１０】
好ましくは、前記絞り通路を形成する１段目の切り込み溝及び２段目の切り込み溝を前記第１の冷媒通路への冷媒流入方向に対して対称に設けた構成にしたことにある。
【００１１】
本発明の第４の特徴は、圧縮機、熱源側熱交換器、四方弁、減圧装置及び利用側熱交換器を配管で接続して冷凍サイクルを形成し、前記利用側熱交換器を熱的に２分割して第１の利用側熱交換器と第２の利用側熱交換器とし、前記第１の利用側熱交換器と第２の利用側熱交換器との間に除湿絞り装置を設け、除湿運転時には、前記除湿絞り装置により、上流側となる前記第１の利用側熱交換器を凝縮器とし、下流側となる前記第２の利用側熱交換器を蒸発器とし、前記除湿絞り装置は、前記第１の利用側熱交換器に連通した第１の冷媒通路と、前記第２の利用側熱交換器に連通した第２の冷媒通路と、弁座により形成された前記第１の冷媒通路と前記第２の冷媒通路とを結ぶ第３の冷媒通路と、前記弁座に接触離間することによって前記第３の冷媒通路の開閉を行う弁体とを有し、前記弁体が前記弁座に当接して前記第３の冷媒通路を閉じたときに前記弁体と前記弁座との壁面で囲まれた絞り通路を形成し、前記弁体が前記弁座から離れて前記第３の冷媒通路を開いたときに前記絞り通路が前記第３の冷媒通路と一体になってその一部をなし、前記弁体が前記弁座に当接して前記第３の冷媒通路を閉じたときに形成される絞り通路を独立して複数段に形成し、除湿運転の異常状態を検出する検出手段を設け、この検出手段の検出信号に基づいて前記除湿絞り装置の前記弁体と前記弁座とを離間することによって前記第３の冷媒通路を開にするように前記冷凍サイクルを制御する構成にしたことにある。
【００１２】
好ましくは、前記空気調和機において、使用者が入力可能な入力手段を設け、この入力手段で入力された信号に基づいて前記圧縮機を可変速する構成にしたことにある。
【００１３】
本発明の第５の特徴は、圧縮機、熱源側熱交換器、四方弁、減圧装置及び利用側熱交換器を配管で接続して冷凍サイクルを形成し、前記熱源側熱交換器と前記利用側熱交換器との間に前記減圧装置を設け、前記減圧装置は、前記熱源側熱交換器に連通した第１の冷媒通路と、前記利用側熱交換器に連通した第２の冷媒通路と、前記第１の冷媒通路と前記第２の冷媒通路とを結ぶ第３の冷媒通路を形成する弁座と、この弁座との間隙変化することによって前記第３の冷媒通路の絞り抵抗の調節を行う弁体とを有し、前記弁体と前記弁座とにより前記第３の冷媒通路で形成される絞り通路を独立して複数段に形成したことにある。
【００１４】
好ましくは、前記空気調和機において、前記冷凍サイクル中に使用する冷媒をＨＦＣ４０７Ｃ、ＨＦＣ４１０ＡなどのＨＦＣ系冷媒またはプロパン、イソブタンなどの自然系冷媒としたことにある。
【００１５】
【発明の実施の形態】
以下、本発明の各実施例を図を用いて説明する。なお、各実施例の図における同一符号は同一物または相当物を示す。
【００１６】
本発明の第１実施例を図１〜図２０を用いて説明する。
【００１７】
図１は本発明の第１実施例における空気調和機の構成図である。図１において、１は圧縮機、２は四方弁、３は熱源側熱交換器を構成する室外熱交換器、４は減圧装置を構成する絞り装置、５ａ、５ｂは利用側熱交換器を構成する室内熱交換器、６は除湿絞り装置、７は室外ファン、８は室内ファン、９は主絞り装置、１０は二方弁であり、これらにより冷凍サイクルが構成されている。
【００１８】
冷凍サイクルは、圧縮機１と四方弁２と室外熱交換器３と絞り装置４と室内熱交換器とが順に冷媒配管で接続されて形成されている。室内熱交換器は２つの室内熱交換器５ａ、５ｂに分割されている。除湿絞り装置６はそれらの間に設けられている。そして、室外熱交換器３に室外空気を送風するように室外ファン７が設けられ、室内熱交換器５ａ、５ｂに室内空気を送風するように室内ファン８が設けられている。
【００１９】
四方弁２は、冷房・除湿運転時と暖房運転時とで、この冷凍サイクルでの冷媒の流れ方向を切り換えるためのものである。図１において、実線矢印は冷房運転時の冷媒の流れ方向を、破線矢印は暖房運転時の冷媒の流れ方向を、一点鎖線矢印は除湿運転時の冷媒の流れ方向を各々示している。
【００２０】
また、絞り装置４は、暖房運転時には、室外熱交換器３で外気から効果的に吸熱が行われるように、また、冷房運転時には、室内熱交換器５ａ、５ｂで室内の空気から効果的に吸熱が行われるように、各々冷媒を減圧する作用をなし、除湿運転時には、かかる減圧作用が生じないようにするものである。このため、絞り装置４は、主絞り装置９と二方弁１０とが並列に配列されてなる構成をなしており、暖房、冷房運転時には、二方弁１０が閉じて冷媒が主絞り装置９を通過するようし、除湿運転時には、二方弁１０が開いて冷媒がこの二方弁１０を通過するように制御される。なお、この絞り装置４は、一つの膨張弁としてもよく、例えば、冷房運転時、暖房運転時では絞りとして機能し、除湿運転時の場合は全開の状態で使用してもよい。
【００２１】
除湿絞り装置６は、暖房、冷房運転時には、開状態にあって、低圧力損失の冷媒通路となり、冷媒をそのまま通過させ、また、除湿運転時には、絞り弁として作用する。即ち、暖房運転時には、室外熱交換器３が室外空気から吸熱を行う蒸発器となるのに対し、室内熱交換器５ａ、５ｂが室内に放熱する凝縮器となり、冷房運転時には、室外熱交換器３が凝縮器となり、室内熱交換器５ａ、５ｂが室内空気から吸熱する蒸発器となる。そして、除湿運転時には、室外熱交換器３が、冷房運転と同様、凝縮器となり、除湿絞り装置６が絞り弁としての作用をすることから、上流側の室内熱交換器５ａが室内空気に放熱する凝縮器となり、下流側の室内熱交換器５ｂが室内空気から吸熱する蒸発器となる。ここで、室内熱交換器５ｂが吸熱することにより、室内空気が冷却されて除湿が行われるが、この空気の冷却を補償するように、室内熱交換器５ａで放熱が行われて室内空気が暖められ、この冷却された空気と暖められた空気とが混合されて室内に吹き出されることにより、室温を下げることなく除湿が行われ、快適な除湿効果が得られるのである。
【００２２】
図２は図１の空気調和機に用いられる第１実施例の除湿絞り装置の除湿運転時の縦断面図、図３は図２の除湿絞り装置の暖房運転時又は冷房運転時の縦断面図である。図２及び図３において、１１は電磁コイル、１２は電磁ガイド、１３はプランジャ、１４は緩衝材、１５は弁体、１６はバネ、１７はストッパ、１８は弁本体、１８ａは筒状部、１９は切り込み溝、２０は弁座、２１は第３の冷媒通路を構成する弁座通路、２３は第１の冷媒通路構成する弁室、２４は第２の冷媒通路を構成する弁室、２５、２６は冷媒配管、２７ａ、２７ｂは弁体端面である。
【００２３】
弁本体１８は、２つの弁室２３、２４が設けられ、弁室２３に室内熱交換器５ａからの冷媒配管２５が連結され、弁室２４に室内熱交換器５ｂからの冷媒配管２６が連結されている。除湿運転時には、弁室２３が冷媒の高圧側となり、弁室２４が冷媒の低圧側となる。この弁室２３内には、弁体１５が上下方向に移動可能に設けられている。
【００２４】
弁本体１８には、その上部に筒状部１８ａが一体に設けられている。この筒状部１８ａの内部には、上部に電磁ガイド１２が設けられ、下部にストッパ１７が設けられている。これらの間には、弁体１５と一体となったプランジャ１３が配置されている。このプランジャ１３は、筒状をなしており、この筒状部が電磁ガイド１２の突出部と筒状部１８ａとの間に上下動可能に配置されている。電磁ガイド１２でのプランジャ１３の先端部に対向する部分には、緩衝材１４が設けられており、電磁ガイド１２のこの緩衝材１４が設けられた部分がプランジャ１３に対する他方のストッパとなっている。また、このプランジャ１３は、ストッパ１７に固定されたバネ１６によって上方、即ち、電磁ガイド１２の方向に付勢されている。さらに、筒状部１８ａの外面側には、電磁コイル１１が設けられている。
【００２５】
弁室２３、２４の間には、弁室２３側に突出した弁座２０（図２中の破線部分）が形成されている。この弁座２０は、弁室２３と２４とを結ぶ弁座通路２１を形成する。
【００２６】
弁体１５の下端部は、弁座２０の上面内径よりも若干大きい外径を有する筒状をなしており、かつその下端面は階段状となっており、また弁体端面２７ａには、複数の切り込み溝１９が設けられている。
【００２７】
かかる構成において、電磁コイル１１に通電すると、電磁ガイド１２とプランジャ１３との間に発生する電磁力により、バネ１６の付勢力に抗してプランジャ１３、従って、弁体１５が押し下げられ、弁体１５の下端面２７ａが弁座上面２１ａに接触する。この状態において、弁体１５の端部２７ａに設けられている切り込み溝１９と弁座面２１ａに囲まれた領域が第１冷媒絞り通路２８ａとなり、弁体端面２７ｂと弁座段部端面２１ｂとの隙間が第２冷媒絞り通路２８ｂとなり、第１冷媒絞り通路２８ａと第２冷媒絞り通路２８ｂを接続通路２００でつなぎ、これらにより弁室２３と弁室２４とを連通する。接続通路２００は、弁座２０の段部内側に全周にわたって大きく形成されている。
【００２８】
電磁コイル１１への通電を停止すると、上記の電磁力がなくなるため、弁体１５はバネ１６の付勢力によって持ち上げられ、図３に示すように、弁体１５が弁座２０と離れる。
【００２９】
これにより、弁座２０により形成された弁座通路２１が開き、第１冷媒絞り通路２８ａと第２冷媒絞り通路２８ｂはこの弁座通路２１と一体になってその一部を構成する。これにより、弁室２３と２４は弁座通路２１によって連通する。
【００３０】
このように、除湿絞り弁の構造をなすこの具体例は、少なくとも弁室２４の径Ｄ１と出口配管２６の径Ｄ２が同等以上であれば、弁体１５の全開時では、弁室２３から弁室２４への曲がりに伴う圧力降下による損失が生ずるのみであって、低圧力損失の冷媒通路を形成することになり、また、弁体１５の全閉時では、第１冷媒絞り通路２８ａと第２冷媒絞り通路２８ｂが形成されて、必要な圧力降下をもたらすことになる。
【００３１】
かかる本発明の第１実施例における暖房運転、冷房運転および除湿運転時の動作を説明する。
【００３２】
暖房、冷房運転時には、電磁コイル１１への通電を行わず、図３に示すように除湿絞り装置の弁体１５は上方に持ち上げられた状態にあって、弁室２３、２４とが広い面積の弁座通路２１で連通する。暖房運転時には、冷媒が室内熱交換器５ｂから、図２及び図３の矢印とは逆方向に、冷媒配管２６、弁室２４、弁座通路２１、弁室２３を通って冷媒配管２５に流れ、室内熱交換器５ａに送られる。このとき、室外熱交換器３は蒸発器として動作し、これら室内熱交換器５ａ、５ｂは凝縮器として動作する。また、冷房運転時には、冷媒が室内熱交換器５ａから、図２及び図３の矢印方向に、冷媒配管２５、弁室２３、弁座通路２１、弁室２４を通って冷媒配管２６に流れ、室内熱交換器５ｂに送られる。このとき、室外熱交換器３は凝縮器として動作し、これら室内熱交換器５ａ、５ｂは蒸発器として動作する。
【００３３】
除湿運転時には、電磁コイル１１への通電を行い、除湿絞り弁内の弁体１５を弁座２０に接触させて、弁座通路２１を閉鎖し、弁体１５に設けられた切り込み溝１９と弁座面２１ａとで囲まれた領域を第１冷媒絞り通路２８ａとして形成し、弁体端面２７ｂと弁座面２１ｂとで囲まれた領域を第２冷媒絞り通路２８ｂとして形成し、第１冷媒絞り通路２８ａと第２冷媒絞り通路２８ｂを接続通路２００で接続し、これらを介して弁室２３、２４が連通される。このとき、冷媒は、冷房運転と同様の矢印方向に、冷媒配管２５から弁室２３、第１冷媒絞り通路２８ａ、第１冷媒絞り通路２８ａと第２冷媒絞り通路２８ｂとの接続通路２００、第２冷媒絞り通路２８ｂ、弁室２４及び冷媒配管２６を通して流れ、これらの冷媒絞り通路２８ａ、２８ｂによって適正な圧力まで減圧される。その結果、弁室２３が高圧側となり、弁室２４が低圧側となる。そして、このときには、室外熱交換器３が凝縮器であり、室内熱交換器５ａが凝縮器（再熱器）として、また、室内熱交換器５ｂが蒸発器（冷却器）として動作する。
【００３４】
このようにして、室内熱交換器５ｂでは、室内空気を冷却しながら除湿を行うが、室内熱交換器５ａで室内空気を加熱することになり、従って、室温の低下を防ぎながら除湿する除湿運転を行うことが可能となる。
【００３５】
また、室外ファン７の回転数を可変とし、室外熱交換器３での凝縮能力を変えることにより、あるいは圧縮機１の回転数を可変とし、圧縮機１の能力を変えることにより、室内熱交換器５ａでの凝縮能力、即ち、放熱量を変えて、室内ファン８による吹き出し空気の温度を冷房気味から暖房気味までの広い範囲にわたって制御することが可能である。
【００３６】
さらに、室内熱交換器５ａ、５ｂを室内から見て上下に並べ、室内ファン８により、室内空気を室内熱交換器５ａと室内熱交換器５ｂとに分けて流す他に、室内熱交換器５ａ、５ｂを室内からみて前後に並べ、室内ファン８により室内空気を室内熱交換器５ｂ側から室内熱交換器５ａ側に流すようにしても良い。
【００３７】
いずれにしても、かかる本発明の第１実施例では、室温の低下を防ぎながら除湿する除湿運転の特性と除湿性能は維持しつつ、さらに、除湿絞り装置６で発生する冷媒流動音の低減を図ることができる。
【００３８】
次に、かかる本発明の第１実施例において、除湿性能の向上、消費電力量の低減及び冷媒流動音の低減を合わせて達成できる点について、図４〜図１２を用いて説明する。
【００３９】
除湿性能を向上させるには、除湿運転時において、蒸発器として使用する室内熱交換器５ｂ内の冷媒の温度、即ち蒸発温度を下げる方法がある。また、一般に蒸発温度を下げる方法として、圧縮機１の回転数を増す方法、除湿絞り装置６の絞り量を大きくする方法、及び室外ファン７の回転数を増して風量を増やし室外熱交換器３の凝縮圧力を下げる方法等がある。
【００４０】
図４は図１の空気調和機の除湿運転時における圧縮機の回転数と室内熱交換器の蒸発温度との関係を説明する特性図である。特性線３０は除湿絞り装置６の除湿絞り量がある値の時の特性を示すものであり、特性線３２はこの値よりも除湿絞り量が大きいときの特性を示すものである。図４から明らかなように、除湿絞り装置６の除湿絞り量を大きくすれば、同一蒸発温度ならば圧縮機１の回転数を低く又は同一圧縮機回転数ならば室内熱交換器５ｂの蒸発温度を低くすることができる。
【００４１】
図５は図１の空気調和機の除湿運転時における圧縮機の回転数と室内熱交換器の除湿量との関係を説明する特性図である。特性線３５は除湿絞り装置６の除湿絞り量がある値の時の特性を示すものであり、特性線３７はこの値よりも除湿絞り量が大きいときの特性を示すものである。図５から明らかなように、除湿絞り装置６の除湿絞り量を大きくすれば、同一除湿量ならば圧縮機１の回転数を低く又は同一圧縮機回転数ならば室内熱交換器５ｂの除湿量を増加することができる。
【００４２】
図６は図１の空気調和機の除湿運転時における圧縮機の回転数と冷凍サイクル内を流れる冷媒の単位時間あたりの冷媒流量の関係を説明する特性図である。その特性線４０から明らかなように、圧縮機１の回転数を低くすれば、冷媒流量も低減することができる。
【００４３】
図７は図１の空気調和機の除湿運転時における単位時間あたりの冷媒流量とこの冷媒流が持つ運動エネルギの関係を説明する特性図である。この特性線４３から明らかなように、冷媒流量を低減すれば、運動エネルギも低減するすることができる。
【００４４】
図８は図１の空気調和機の除湿運転時における冷媒流量の持つ運動エネルギと冷媒流動音の騒音レベルの関係を説明する特性図である。この特性線４６から明らかなように、運動エネルギを低減すれば、冷媒流動音の騒音レベルも比例して低減することができる。
【００４５】
図９は図１の空気調和機の除湿運転時における圧縮機の回転数と空気調和機の消費電力量の関係を説明する特性図である。その特性線４９から明らかなように、圧縮機１の回転数を低くすれば、空気調和機の消費電力を低減することができる。
【００４６】
図１０は図１の空気調和機の除湿運転時における圧縮機の回転数と冷媒流動音との関係を説明する特性図である。特性線１６３は除湿絞り装置が図３２に示す従来の１段階の絞り通路で構成された場合であり、特性線１６０が除湿絞り装置が図２に示す本発明の２段階の絞り通路で構成された場合である。
【００４７】
図４〜図１０にて明らかなように、蒸発温度を下げて除湿性能を高めるために、単に圧縮機の回転数を増すと、冷媒流量が増加して運動エネルギが大きくなり、冷媒流動音が大きくなる。また、蒸発温度を下げて除湿性能を高めるために、室外ファン７の回転数を増加させて室外熱交換器３での風量を増すと、凝縮圧力が下がり、室内熱交換器５ａで室内空気を加熱するための加熱量が減り、室内ファン８によって室内に吹き出される空気温度が下がる傾向があり、除湿運転を行うと、室温が下がってしまうものである。
【００４８】
これに対し、蒸発温度を下げて除湿性能を高めるために、本発明の第１実施例のように、除湿絞り装置６の除湿絞り量を大きくすることにより、除湿能力を高めるばかりでなく、冷媒流動音と消費電力をも低減することができるものである。この点をさらに具体的に説明する。
【００４９】
図４において、いま、特性線３０の状態から除湿絞り装置６の除湿絞り量を大きくして、特性３２の状態にしたとすると、同じ圧縮機１の回転数Ｎ１に対して、蒸発温度が特性線３０上の点３１でのＢ１から特性線３２上の点３３でのＢ２に低下する。また、同じ蒸発温度Ｂ１に保持するものとすると、特性線３０の点３１から特性線３２の点３４に移り、圧縮機１の回転数をＮ１からＮ２と低くすることができる。
【００５０】
また、図５において、特性線３５の状態から除湿絞り装置６の除湿絞り量を大きくして、特性線３７の状態とすると、同じ圧縮機１の回転数Ｎ１に対して、室内熱交換器５ｂの除湿量が特性線３５の点３６でのＨ１から特性線３７の点３８でのＨ２と増加する。また、同じ除湿量Ｈ１を保持するものとすると、特性線３５の点３６から特性線３７の点３９に移り、圧縮機１の回転数をＮ１からＮ２と低くすることができる。
【００５１】
一方、室内環境が決まれば、そのときに確保すべき必要除湿量は決まる。従って、図５において、そのとき確保すべき除湿量をＨ１とすると、除湿絞り装置６の除湿絞り量を大きくすることにより、圧縮機１の回転数としては、Ｎ１よりも低いＮ２とすることができる。
【００５２】
このように、圧縮機回転数を下げると、冷媒流量を減らす事になり、図６に示すように圧縮機の回転数がＮ１からＮ２に減少したことにより、冷媒流量は、特性線４０上の点４１でのＧ１から点４２でのＧ２に減少する。従って、図７において、運動エネルギが特性線４３上で点４４のＥ１からこれよりも小さいＥ２に減少し、結局、図８において、特性線４６上の点４７から点４８に移行し、冷媒流動音の騒音レベルはＰ１からＰ２に低減できる。このように、除湿絞り装置６の除湿絞り量を増加することにより、除湿絞り装置６および室内熱交換器５ｂから発生する冷媒流動音を低減することができる。
【００５３】
また、図９に示すように、空気調和機の運転に必要な消費電力量は、圧縮機１の回転数が低いほど少ない。除湿絞り装置６の除湿絞り量を増加させることで、圧縮機１の回転数をＮ１からＮ２に減じることができることにより、消費電力量は、特性線４９上を点５０から点５１に移行し、Ｗ１からＷ２に低減することができる。このように、除湿絞り装置６の除湿絞り量を大きくすることにより、除湿能力を高めるばかりでなく、冷媒流動音と消費電力量をも同時に低減することができる。
【００５４】
特に、本発明の第１実施例における除湿絞り装置では、冷媒絞り通路が２段階の絞り比の異なる通路で構成されているため、同じ絞り量を確保する上で、１段階で絞る場合よりも、１段当たりの冷媒絞り通路の絞り量が小さくてよい。これは冷媒絞り通路の断面積を大きくできることを意味する。このようにすることで、冷媒絞り装置の出口での冷媒流の流速を減速する事ができる。
【００５５】
図１１はバルブに気液二相流を流したときにバルブから発生する流動音の騒音レベルとバルブの出口流速との関係を実験的に求めた特性図である。騒音レベルは、バルブの出口流速の２乗に比例しているため、この出口流速を低減させれば、その２乗で騒音レベルを下げることができる。従って、同じ絞り量を得るために、１段階で減圧するよりも、２段階に分割して減圧させることで、絞りの断面積を大きく設定することができるので、出口流速を低減できる。例えば、出口面積が２倍になると流速は半分となり、騒音レベルが例えば６dB低減することができる。
【００５６】
冷媒流動音は、冷媒流の流速の２乗、即ち流量の２乗に比例して変化するから、図１０においては、圧縮機１の回転数の２乗に比例して変化することになる。従って、圧縮機１の回転数が高いほど、２段階の絞り通路で構成している本発明の除湿絞り装置は、例えば、図１０の点１６４におけるＰ３ａと点１６１におけるＰ３ｂのように、従来の１段階の絞り通路の場合よりも冷媒流動音を顕著に小さくできる。
【００５７】
図１２は従来と本発明の冷媒流動音の周波数構成を比較した図、図１３は図１２より圧縮機回転数が高い場合の従来と本発明の冷媒流動音の周波数構成を比較した図である。図１２は、図１０における圧縮機１の回転数が低いＮ４の場合であり、太線１７１は本発明の除湿絞り装置における冷媒流動音であり、細線１７０は従来の除湿絞り装置の冷媒流動音である。また、図１３は、図１０における圧縮機１の回転数の高いＮ３の場合であり、太線１７３は本発明の除湿絞り装置、細線１７２は従来の除湿絞り装置である。本発明と従来の冷媒流動音の騒音レベルを比較すると、本発明の方が従来よりも圧縮機１の回転数の低い図１２の場合では約２dB小さく、また圧縮機１の回転数の高い図１３の場合では約４dB小さい。このように、冷媒の絞り通路を絞り比の異なる絞り通路を接続し、多段階で冷媒流を減圧する絞り通路とすることで、冷媒流動音を低減することができる。
【００５８】
本発明の第１実施例の除湿絞り装置６においては、前述のように弁体１５が全閉し、弁体１５の切り込み溝１９と弁座面２１ａによって囲まれた領域が第１冷媒絞り通路２８ａ、弁体端面２７ｂと弁座面２１ｂによって囲まれた領域が第２冷媒絞り通路２８bとなる。従って、図１４に示すように、サイクル内の浮遊物５５が絞りである切り込み溝１９に堆積した場合でも、図１５に示すように、弁体１５を全開にすれば、冷媒絞り通路２８ａは解除され切り込み溝１９は低圧側弁室２４と一体化するため、浮遊物５５は冷媒流により流され、詰まりは解除される。また、第２冷媒絞り通路２８ｂにおいても同様である。
【００５９】
また、本発明の第１実施例の除湿絞り装置６では、弁体１５の切り込み溝１９も弁座面２１ａと上下で接しているため、弁体１５と弁座２０との間に浮遊物（ゴミやコンタミ等）が食い込みロックすることもなく、弁体１５を上に引き上げることができ、容易に、詰まり除去ができる。
【００６０】
なお、除湿絞り装置において、従来のように１段階で絞る場合よりも、本発明の第１実施例例のように複数段で絞る方が、１段当たりの絞り量を小さくでき、絞り通路の断面積を大きく出るので、ゴミ詰まりに対してもさらに信頼性が高くなるものである。
【００６１】
このように、本発明の第１実施例おいては、冷媒絞り通路の詰まりのない信頼性の高い絞りを有し、その結果、絞り量の大きな絞りを設けることができ、必要除湿量を確保するための圧縮機回転数を小さくすることができ、従って、冷媒流動音も大幅に低減できると共に、消費電力量も低減することができ、室温の低下を防ぎつつ除湿を行う除湿運転が可能な空気調和機を提供することが可能となる。
【００６２】
なお、本発明の第１実施例の空気調和機を実際に除湿運転したところ、除湿絞り装置６の絞り量を３倍にすることができ、その結果、必要除湿量を確保するための圧縮機回転数を半減でき、消費電力量を半減することができた。また、冷媒流量が半減することで、運動エネルギも半減し、冷媒流動音として約５dBの低減することができた。この時の除湿運転は、吹出空気温度が室温よりも低下するのを防ぎつつ除湿を行う除湿運転であり、必要除湿量は確保されており、本発明の空気調和機の目的の機能は維持されている。
【００６３】
かかる実施例によれば、弁体１５が弁座２０に当接して第３の冷媒通路２１を閉じたときに弁体１５と弁座２０との壁面で囲まれた絞り通路２８ａ、２８ｂを形成する構成であるので、簡単な構成である。
【００６４】
また、弁体１５が弁座２０に当接して弁座通路２１を閉じたときに形成される絞り通路２８ａ、２８ｂを独立して複数段に形成しているので、絞り通路２８ａ、２８ｂの絞り量を大きくすることができ、これにより除湿運転時における蒸発温度を低下して除湿性能を向上することができると共に、除湿量を確保しつつ、圧縮機回転数を低くして消費電力量の低減を図ることができる。
【００６５】
さらには、前記絞り量の増大のために絞り通路２８ａ、２８ｂの通路断面積を小さくしなくても絞り量を増大することができるので、除湿絞り装置６における冷媒流動音の増大、ゴミ詰まり等による除湿性能の低下及び弁体１５のロックの可能性の増大を招くことがないものである。
【００６６】
しかも、弁体１５が弁座２０から離れて弁座通路２１を開いたときに絞り通路２８ａ、２８ｂが第３の冷媒通路２１と一体になってその一部をなすようにしているので、絞り通路２８ａ、２８ｂにゴミ等が付着しても弁座通路２１が開いた状態での冷媒の流通によりこのゴミ等を除去することができる。
【００６７】
次に、図１の空気調和機に用いられる異なる実施例の除湿絞り装置について図１６〜図２０を用いて説明する。
【００６８】
図１６は図１の空気調和機に用いられる第２実施例の除湿絞り装置の除湿運転時における縦断面図である。図１６において、弁体１５が閉になり弁座２０に接すると、弁座２０に設けられた切り込み溝１９と弁体１５とで囲まれた領域が第１冷媒絞り通路２８ａとなり、弁体端面２７ｂと弁座面２１ｂとの隙間が第２冷媒絞り通路２８ｂとなり、これらの絞り通路は、接続通路２００で連通する。この時、弁体１５が開くと、第１冷媒絞り通路２８ａと第２冷媒絞り通路２８ｂは解除される。
【００６９】
図１７は図１の空気調和機に用いられる第３実施例の除湿絞り装置の除湿運転時における縦断面図である。図１７は、図１６における弁体端面２７ｂと弁座面２１ｂとの隙間で形成される第２冷媒絞り通路２８ｂにおいて、弁座面２１ｂが傾斜面である弁座面２１ｃとなっており、第２冷媒通路２８ｂを通過した冷媒流同士が衝突しないようにしたものである。
【００７０】
図１８は図１の空気調和機に用いられる第４実施例の除湿絞り装置の除湿運転時における縦断面図である。図１８は、図２における弁体端面２７ｂと弁座面２１ｂとの隙間で形成される第２冷媒絞り通路２８ｂを、弁口側面２１ｄと弁体側面２７ｄとの隙間で形成したもので、この場合も、弁体１５が開くと第１冷媒絞り通路２８ａと第２冷媒絞り通路２８ｂは解除される。
【００７１】
図１９は図１の空気調和機に用いられる第５実施例の除湿絞り装置の除湿運転時における縦断面図、図２０は図１９における弁座の部分のみを示す平面図である。なお、図１９において、絞り通路と入口配管２５とを分かり易くするために共に断面形状で現れるように明示してあるが、実際には図２０に模式的に示すように、両者は直角に配置されているものである。
【００７２】
図１９では、弁座２０の上流側の弁座面２１ａとその下流側の弁座面２１ｂに、各々切り込み溝１９ａ、１９ｂが設けられており、弁体１５の弁体テーパ面２８と弁座２０が接触すると、各切り込み溝１９ａ、１９ｂが冷媒絞り通路２８ａ、２８ｂとなり、接続通路２００を介して、高圧側弁室２３と低圧側弁室２４とを接続する。この時、切り込み溝１９ａと弁体テーパ面２８とで囲まれた絞り通路が第１段の冷媒絞り通路２８ａであり、切り込み溝１９ｂと弁体テーパ面２８とで囲まれた絞り通路が第２段の冷媒絞り通路２８ｂである。なお、絞り量は、各々の段の切り込み溝深さと個数により任意に設定できる。なお、切り込み溝１９の形状は、Ｖ字形状（ノッチ形状）でも、半円筒形状でも、矩形形状でもよい。
【００７３】
また、図２０に示すように、第１段の切り込み溝１９ａ、および第２段の切り込み溝１９ｂは、冷媒の流入方向（入口配管２５の軸線２１２）に対し軸対象に配置されている。また、出口配管２６の軸線に対し軸対称の位置に配置されている。
【００７４】
かかる絞り装置６を用いた空気調和機によれば、弁体１５が弁座２０に複数段に当接して弁座通路を閉じたときに弁体１５と弁座２０との間に絞り通路２８ａ、２８ｂを有するように弁体１５及び弁座２０の少なくとも一方に切り込み溝１９ａ、１９ｂを形成し、弁体１５が弁座２０に当接して弁座通路を閉じたときに形成される絞り通路２８ａ、２８ｂを独立して複数段となるように各絞り通路２８ａ、２８ｂの間に全周にわたって接続通路２００を形成したので、簡単な構成で、安定した絞り抵抗値を有するものを能率良く製作することができ、生産性を良好なものすることができる。
【００７５】
さらには、絞り通路２８ａ、２８ｂを形成する１段目の切り込み溝１９ａ及び２段目の切り込み溝１９ｂを第１の冷媒通路２３への冷媒流入方向に対して対称に設けているので、各段の絞り通路２８ａ、２８ｂに冷媒を均等に流入させることができ、冷媒流動音を低減することができる。
【００７６】
次に、本発明の第２実施例を図２１〜図２７を用いて説明する。図２１〜図２７は、除湿絞り装置の冷媒絞り通路に浮遊物が詰まった場合の除去方法を説明する図である。
【００７７】
冷媒絞り通路に浮遊物が詰まることは、絞り量が大きくなることと同じであるから、前述の図４に示すように蒸発温度が下がる。また蒸発温度が下がることで、空気の冷却能力も大きくなり吹き出し温度も下がる。さらに除湿量も大きくなる。
【００７８】
従って、蒸発温度または除湿絞り弁下流側温度（冷媒温度、配管管壁温度）や、室内熱交換器からの吹出空気温度、室内熱交換器の吸込空気温湿度と吹出空気温湿度を検出し、その値で判定することができる。
【００７９】
図２１は本発明の第２実施例における空気調和機の構成図である。図２１において、検出機器、記憶・制御機器としては、室内外の空気の温湿度の検出、除湿絞り装置６の下流側温度または蒸発温度の検出、圧縮機１、室外ファン７、室内ファン８の回転数の検出とそれらの情報を記憶、処理、判断する機器で構成され、具体的には、圧縮機１の回転数、除湿絞り装置６の電磁コイル１１への通電を制御するコントローラ１３０、圧縮機１の回転数検出制御機器１３１、室外ファン７の回転数検出制御機器１３７、室内ファン８の回転数検出制御機器１４６、室外熱交換器３の吸込空気温度検出機器１３５、室外熱交換器３の吹出空気温度検出機器１３３、室内熱交換器５ａ、５ｂの吸込空気温湿度検出機器１４１ａ、１４１ｂ、室内熱交換器５ａ、５ｂの吹出空気温湿度検出機器１３９、蒸発温度もしくは除湿絞り装置６の下流側の温度検出機器１４３とまた各々の機器とコントローラとを接続する信号線１３２、１３４、１３６、１３８、１４０、１４２、１４４、１４５、１４７から構成されている。
【００８０】
ここで圧縮機１の回転数検出制御機器１３１、室外ファン７の回転数検出制御機器１３７、室内ファン８の回転数検出制御機器１３８は、コントローラ１３０内に組み込まれていてもよい。なお回転数を検出するには、モーターの回転数を測定する方法、電圧値や電流値を測定する方法等何れの方法を用いても良い。また回転数を制御するには、電流の周波数や電圧値、電流値を可変させる方法など何れの方法を用いても良い。空気温度を検出する方法として、サーミスタや熱電対などを用いても、空気湿度を検出する方法として、湿度センサを用いてもよい。なお、本発明では、検出した情報を記憶し、演算処理して制御する部分をコントローラ１３０に集約しているが、これは個々に別れていてもよい。
【００８１】
図２２は図２１の空気調和機における除湿絞り装置の冷媒絞り通路に浮遊物が詰まった場合の冷凍サイクルの変化と運転制御を時間変化で説明する図である。
【００８２】
ここでは、冷媒絞り通路の詰まりを判断する情報量として蒸発温度を用い、空気調和機のサイクル運転制御対象として圧縮機の運転と除湿絞り装置の開閉を用いている。
【００８３】
冷媒絞り通路に浮遊物が詰まる前は、蒸発温度はほぼ一定値を示している（図２２中点１０１から点１０２間）。冷媒絞り通路に浮遊物が堆積したり詰まると絞り量が大きくなるため、蒸発温度が下がる（図２２中点１０２から点１０３間）。この時、適正な蒸発温度Ｔ０と蒸発温度が下がった時の温度Ｔ１との差ΔＴ（蒸発温度降下量）もしくは、点１０２から点１０３間の蒸発温度の時間変化率（＝ΔＴ／ΔＳ０）を検出すれば、浮遊物の堆積、詰まりを判断することができる。図２２では、点１０３の時点で、冷媒絞り通路が詰まったと判断され、圧縮機１の運転が停止される（図２２中点１１２から点１１３間）。この時、除湿絞り装置６の高圧側と低圧側とでは、圧力差が存在しているため、弁体を開けることが難しい。圧力差が大きいほど、弁体を開けるためにバネ力が大きいことが必要である。本発明の空気調和機では、除湿絞り装置６の前後差圧がなくなってから弁体を開けるようにするために、圧縮機１の運転を止めてから時間ΔＳ１後に除湿絞り装置６を開ける（図２２中点１１８から点１１９間）。除湿絞り装置６のバネ力が十分に大きい場合には、ΔＳ１の時間は短くても、またなくてもよい。除湿絞り装置６が開いてから時間ΔＳ２はサイクル全体の圧力バランスをとる時間で、四方弁の切り替え等に要する時間である。除湿絞り装置６の弁体１５を開けた状態である時間ΔＳ３の間、圧縮機を運転させ、除湿絞り弁の弁口に堆積、詰まった浮遊物を流し取り、圧縮機吸い込み側に設けられているストレーナーで捕集する。その後、除湿絞り弁の弁体を閉じ（図２２中点１２０から点１２１間）、除湿運転を再開する。
【００８４】
図２３から図２７は図２１の空気調和機の異なる制御方法を示すフロー図である。このように、異なる制御方法を準備する理由は、蒸発温度が変わる要因が、除湿絞り弁の詰まりの他に、ユーザーが設定室内温度や室内湿度の設定を変えた場合や室内外の温度（空気負荷条件）が急激に変化した場合にも生じるためであり、これは設定温湿度や空気負荷条件に応じ圧縮機１の回転数、室内外ファン８、７の回転数が変化する場合があるからである。
【００８５】
図２３に示す空気調和機の制御フローにおいて、まず圧縮機１の回転数、室内ファン８、室外ファン７の回転数が変化していないかどうかを判断する（処理８０から処理８２）。一般に、除湿運転時の条件下では、室内外の空気負荷条件が急激に変化することは少ないので、必要に応じこれらの情報は検出すればよい。これらが変化していない場合で、かつ検出している蒸発温度が急激に下がっている時、その降下量を検出し規定量α以上と判断した場合（処理８３）、絞り通路のゴミ詰まりが考えられるので、圧縮機１を停止する（処理８４）。それ以外は継続して除湿運転する。この時、蒸発温度の降下量を用いるのは、蒸発温度は空気負荷条件やユーザーの設定空気温湿度等の組み合わせに応じた空気調和機の運転で生じるため、蒸発温度の絶対値を用いてしきい値とすることが困難なためである。圧縮機１が稼働中で冷媒が流れていると、本発明の除湿絞り装置６おいては、流体力によって弁体が弁座に押しつけられているため、弁体を開くには大きな力を要する。従って、圧縮機１が止まり、除湿絞り装置６の前後の圧力差が小さくなるまで待ち（ΔＳ１後）、弁体を開ける（処理８５）。続いて、サイクル内の圧力バランスが取れたΔＳ２後、再度圧縮機１を稼働させ（処理８６）、サイクル内の冷媒を循環させ、除湿絞り装置６の弁体及び弁口の切り込み溝に付着しているゴミを流す。このゴミは、サイクル内を流れ、圧縮機入口に設けられている、ストレーナー内のメッシュにて捕獲される。十分に冷媒を循環させたΔＳ３後、除湿絞り弁の弁体を閉め（処理８７）除湿運転を再開する。
【００８６】
図２４に示す空気調和機の制御フローにおいては、蒸発温度の降下量の代わりに、蒸発温度の勾配即ち蒸発温度の時間変化率を用いた場合である。検出している蒸発温度が急激に下がり、その時間変化率を検出し規定量β以上と判断した場合（処理８８）、絞りのゴミ詰まりが考えられるので、圧縮機を停止する（処理８４）。
【００８７】
図２５に示す空気調和機の制御フローにおいては、蒸発温度の降下量の代わりに、室内吹出空気温度の降下量を用いた場合である。室内吸込空気温度を検出判断しほぼ一定で変化していない場合（処理８９）、検出している室内吹出空気温度が急激に下がり、その降下量を検出し規定量γ以上と判断した場合（処理９０）、絞りのゴミ詰まりが考えられるので、圧縮機を停止する（処理８４）。
【００８８】
図２６に示す空気調和機の制御フローにおいては、室内吹出空気温度の降下量の代わりに、室内吹出空気温度の勾配、即ち室内吹出空気温度の時間変化率を用いた場合である。室内吸込空気温度を検出判断しほぼ一定で変化していない場合（処理８９）、検出している室内吹出空気温度が急激に下がり、その時間変化率を検出し、規定量δ以上と判断した場合（処理９１）、絞りのゴミ詰まりが考えられるので、圧縮機を停止する（処理８４）。
【００８９】
また、コンタミのように、時間的に徐々に堆積される物に関しては、降下量と時間変化率の両方を組み合わせるとよい。
【００９０】
なお、これら蒸発温度、室内吹出空気温度の他に室内の吸込空気温湿度と吹出空気温湿度を検出し、除湿量の上昇量または勾配（時間変化率）を用いても同様な制御が可能である。
【００９１】
また、上記の図２３から図２６に示した制御フローによって、絞り装置のゴミ詰まりが解除できず、弁体がロックした場合には、図２７に示す制御フローで、弁体のロック解除とゴミ詰まり解除の両方を行う。
【００９２】
即ち、前述したゴミ詰まり解除の制御フローを実施した後（処理１８８）、除湿運転を再開する（処理１８９）。その後、図２１のコントローラ１３０に先に記憶しているゴミ詰まり処理前の蒸発温度ε０と現在の蒸発温度ε１とを比較し、現在の蒸発温度ε１がゴミ詰まり処理前の蒸発温度ε０以下である場合、または、図２１のコントローラ１３０に先に記憶しているゴミ詰まり処理前の吹き出し空気温度ζ０と現在の吹き出し空気温度ζ１とを比較し、現在の吹き出し空気温度ζ１がゴミ詰まり処理前の吹き出し空気温度ζ０以下である場合は、除湿運転を停止し、除湿絞り装置６を開にし（処理１８３）、暖房運転を行う（処理１８４）。所定時間、暖房運転を行った後、圧縮機を停止し（処理１８５）、再び除湿弁を閉にし（処理１８６）、除湿運転を再開する（処理１８７）。それ以外の場合は、ゴミ詰まりも解除されているので、除湿運転を継続する（処理１８１）。
【００９３】
次に、本発明の第３実施例を図２８〜図３０を用いて説明する。この本発明の第３実施例のものは、例えば使用者の入力情報に応じて圧縮機回転数を変化させるものである。
【００９４】
図２８は本発明の第３実施例における空気調和機の構成図である。図２８においては、例えば使用者からの入力情報が入力装置２３０で入力され、その情報が経路２３１を通り、コントローラ１３０で処理され、その入力情報に応じて圧縮機１の回転数を可変速制御する指令を出し、この指令が経路１３２を通り、圧縮機１の回転数検出制御機器１３１で制御運転を行う。この時、入力装置２３０は、空気調和機本体とは別のリモートコントローラでも、本体に内蔵されていてもよい。また、情報経路２３１は、有線でも無線でも光通信でもよい。
【００９５】
図２９は図２８の空気調和機の除湿運転時における圧縮機の回転数と冷媒流動音との関係を説明する特性図、図３０は図２８の空気調和機の除湿運転時における圧縮機の回転数と除湿量との関係を説明する特性図である。
【００９６】
図２９において、特性線２２５は従来の１段絞りの除湿絞り装置を使用した場合であり、特性線２２４は本発明の２段絞りの除湿装置使用した場合である。また、図３０において、特性線２２８は本発明の２段絞りの除湿装置をした場合である。前述したように、圧縮機回転数が同じであるならば、本発明の２段絞り装置を使用した方が、冷媒流動音は小さい。例えば、圧縮機回転数がＮ５のとき、１段絞り装置では冷媒流動音はグラフ点２２３であるのに対し、２段絞り装置ではグラフ点２２１である。この時、冷媒流動音のレベルを同じにすると、２段絞り装置の使用時では、圧縮機回転数をＮ６まであげることが可能である。その結果、図３０において、除湿量をグラフ点２２６からグラフ点２２７に増加できる。
【００９７】
次に、本発明の第４実施例を図３１を用いて説明する。図３１は本発明の第４実施例における空気調和機の構成図である。
【００９８】
この第４実施例では、図１に示す第１実施例の冷凍サイクルの冷房、暖房運転時用の絞り装置４の代わりに、図２、図３及び図１６から図２１で示した除湿絞り装置を図３１に示すように、膨張弁５６として用いた点で第１実施例と相違している。この膨張弁５６は、冷房、暖房運転時においては絞り作用を有するように設定する必要があり、また除湿運転時にはほとんど圧力損失がないことが必要である。膨張弁５６として、図２、図３及び図１８から図２０に示した除湿絞り装置の構成を用いることで、図１に示した冷凍サイクルよりも部品点数が少なく、かつ冷媒流動音の低減が可能な空気調和機を提供することができる。
【００９９】
なお、図２３から図２７で示した絞り通路に浮遊物が詰まった場合の除去運転方法は、その除湿運転を冷房運転もしくは暖房運転と置き換えることにより、この第４実施例の空気調和機においても同様に適用することができる。
【０１００】
上記実施例では、除湿絞り装置の弁体の駆動装置として、電磁コイル、電磁ガイド、バネ等で構成されたものを示したが、モーターを使用するもの、機械的に駆動されるもの、感温筒を用いた圧力制御装置を適用してもよく、また駆動方法については種々の構成のものを適用してもよい。
【０１０１】
また、上記実施例では、冷房、暖房、除湿の３つの運転状態ができる冷凍サイクルについて説明してきたが、これに限るものではなく、他の冷凍サイクルについても適用できる。例えば、図１あるいは図３１に示す冷凍サイクルにおいて、四方弁２を設けない冷房運転と冷房サイクルでの除湿運転が可能な冷凍サイクル、即ち、室内熱交換器５ｂ、圧縮機１、室外熱交換器３が直列になるように接続した場合の絞り装置に本発明における除湿用絞り装置の構成を適用することで、除湿運転において、室温を下げずにかつ必要除湿量を確保しつつ、さらに冷媒流動音の小さい空気調和機を構成することができる。
【０１０２】
さらには、図１あるいは図３１に示す冷凍サイクルにおいて、四方弁２を設けない暖房運転と暖房サイクルでの除湿運転が可能な冷凍サイクル、即ち、室外熱交換器３、圧縮機１、室内熱交換器５ｂが直列になるように接続した場合の絞り装置に本発明における除湿用絞り装置の構成を適用することで、除湿運転において、同様に室温を下げずにかつ必要除湿量を確保しつつ、さらに冷媒流動音の小さい空気調和機を構成することができる。
【０１０３】
また、図１及び図３１に示す冷凍サイクルにおいて、アキュムレータを圧縮機の吸入側（室内熱交換器５ｂと圧縮機１の間）に設けても良く、使用する圧縮機の種類あるいは主絞り装置の種類や制御方法によってはアキュムレータ付きの冷凍サイクルの構成とすることができる。
【０１０４】
また、図１及び図３１に示す冷凍サイクルにおいて、レシーバを室外熱交換器３（利用側熱交換器）と絞り装置４（膨張弁５６）との間に設けても良く、使用する圧縮機の種類あるいは主絞り装置の種類や制御方法によってはレシーバ付きの冷凍サイクルの構成とすることができる。
【０１０５】
また、図１に示す絞り装置４は、冷媒通路を全開にできる膨張弁を用いても良い。
【０１０６】
さらには、冷凍サイクル内を流れる冷媒の種類としては、空気調和機で一般的に使用されているＨＣＦＣ２２等の単一冷媒、オゾン層破壊や地球温暖化の点からＨＣＦＣ２２に代わる代替冷媒の一つである混合冷媒、例えば、ＨＦＣ４０７ＣやＨＦＣ４１０Ａを使用することができる。特にＨＦＣ４１０Ａなどの高圧冷媒の場合、ＨＣＦＣ２２等の使用時に比べ、除湿絞り装置での絞り量を大きくする必要があり、さらに冷媒絞り通路断面積が小さくなる。しかし、本発明の絞り装置のように多段階で減圧を行えば、１段当たりの絞り量は小さくでき、その結果、冷媒絞り通路断面積は大きくなり、加工性向上、冷媒流動音低減、ゴミ詰まり回避に対して非常に有効である。また例えば代替冷媒の一つであるＨＦＣ系冷媒の場合、塩素原子を有しないため極性を強く持っている。従って、使用される冷凍機油もＨＦＣ系冷媒と溶解する極性をもつ冷凍機油が使用される。しかし、空気調和機の製造工程や現地での設置において、冷凍サイクル内にコンタミ等の非極性物質である不純物が残留し、圧縮機内部の高温部等で反応性の高い不純物や冷凍機油に含まれている添加物が反応して非極性物質であるスラッジを形成し、これらの非極性物質が液冷媒中に析出した場合においても、上記の本発明の実施例を適用することで、冷媒絞り通路の詰まりも解決でき、その結果、必要冷媒流量を少なくできるため冷媒流動音も低減された除湿運転や冷房、暖房運転が可能となる。
【０１０７】
なお、冷媒として自然系冷媒（ＨＣ冷媒）を使用することができる。自然系冷媒（ＨＣ冷媒）には、例えば、プロパン、イソブタンなどがある。
【０１０８】
また、上記の本実施例では、建屋の空気調和機を想定して説明したが、これに限らず、除湿運転が必要な他の用途の装置にも適用可能である。このような場合は、一般に熱交換器を室内あるいは室外に用いられるとは限られず、この場合は、室内熱交換器は利用側熱交換器、室外熱交換器は熱源側熱交換器、室内ファンは利用側ファン、室外ファンは熱源側ファンとなる。
【０１０９】
また、圧縮機の種類も圧縮機回転数を変化させる制御を使用しない場合では、定速型回転機のものでも同様な効果が得られる。
【０１１０】
【発明の効果】
本発明によれば、簡単な構成で、除湿運転時における除湿性能の向上及び消費電力量の低減を図ると共に、除湿絞り装置で発生する冷媒流動音の低減、ゴミ等による絞り通路の詰まりを防止することができる空気調和機を得ることができる。
【図面の簡単な説明】
【図１】本発明の第１実施例における空気調和機の構成図である。
【図２】図１の空気調和機に用いられる第１実施例の除湿絞り装置の除湿運転時の縦断面図である。
【図３】図２の除湿絞り装置の暖房運転時又は冷房運転時の縦断面図である。
【図４】図１の空気調和機の除湿運転時における圧縮機の回転数と室内熱交換器の蒸発温度との関係を説明する特性図である。
【図５】図１の空気調和機の除湿運転時における圧縮機の回転数と室内熱交換器の除湿量との関係を説明する特性図である。
【図６】図１の空気調和機の除湿運転時における圧縮機の回転数と冷凍サイクル内を流れる冷媒の単位時間あたりの冷媒流量の関係を説明する特性図である。
【図７】図１の空気調和機の除湿運転時における単位時間あたりの冷媒流量とこの冷媒流が持つ運動エネルギの関係を説明する特性図である。
【図８】図１の空気調和機の除湿運転時における冷媒流量の持つ運動エネルギと冷媒流動音の騒音レベルの関係を説明する特性図である。
【図９】図１の空気調和機の除湿運転時における圧縮機の回転数と空気調和機の消費電力量の関係を説明する特性図である。
【図１０】図１の空気調和機の除湿運転時における圧縮機の回転数と冷媒流動音との関係を説明する特性図である。
【図１１】バルブに気液二相流を流したときにバルブから発生する流動音の騒音レベルとバルブの出口流速との関係を実験的に求めた特性図である。
【図１２】従来と本発明の冷媒流動音の周波数構成を比較した図である。
【図１３】図１２より圧縮機回転数が低い場合の従来と本発明の冷媒流動音の周波数構成を比較した図である。
【図１４】図１の空気調和機における除湿絞り装置の弁体閉時の冷媒絞り通路のゴミ詰まりの状況を説明する縦断面図である。
【図１５】図１の空気調和機における除湿絞り装置の弁体開時の冷媒絞り通路のゴミ除去の状況を説明する縦断面図である。
【図１６】図１の空気調和機に用いられる第２実施例の除湿絞り装置の除湿運転時における縦断面図である。
【図１７】図１の空気調和機に用いられる第３実施例の除湿絞り装置の除湿運転時における縦断面図である。
【図１８】図１の空気調和機に用いられる第４実施例の除湿絞り装置の除湿運転時における縦断面図である。
【図１９】図１の空気調和機に用いられる第５実施例の除湿絞り装置の除湿運転時における縦断面図である。
【図２０】図１９における弁座の部分のみを示す平面図である。
【図２１】本発明の第２実施例における空気調和機の構成図である。
【図２２】図２１の空気調和機における除湿絞り装置の冷媒絞り通路に浮遊物が詰まった場合の冷凍サイクルの変化と運転制御を時間変化で説明する図である。
【図２３】図２１の空気調和機の制御方法を示すフロー図である。
【図２４】図２１の空気調和機の異なる制御方法を示すフロー図である。
【図２５】図２１の空気調和機の異なる制御方法を示すフロー図である。
【図２６】図２１の空気調和機の異なる制御方法を示すフロー図である。
【図２７】図２１の空気調和機の異なる制御方法を示すフロー図である。
【図２８】本発明の第３実施例における空気調和機の構成図である。
【図２９】図２８の空気調和機の除湿運転時における圧縮機の回転数と冷媒流動音との関係を説明する特性図である。
【図３０】図２８の空気調和機の除湿運転時における圧縮機の回転数と除湿量との関係を説明する特性図である。
【図３１】本発明の第４実施例における空気調和機の構成図である。
【図３２】従来の空気調和機に用いられる除湿絞り装置の縦断面図である。
【符号の説明】
１…圧縮機、２…四方弁、３…室外熱交換器（熱源側熱交換器）、４…絞り装置、５ａ、５ｂ…室内熱交換器（利用側熱交換器）、６…除湿絞り装置、７…室外ファン、８…室内ファン、９…主絞り装置、１０…二方弁、１１…電磁コイル、１２…電磁ガイド、１３…プランジャ、１４…緩衝材、１５…弁体、１６…バネ、１７…ストッパ、１８…弁体、１９、１９ａ、１９ｂ…切り込み溝、２０…弁座、２１…弁座通路（第３冷媒通路）、２１ａ、２１ｂ…弁座面、２３…高圧側弁室（第１冷媒通路）、２４…低圧側弁室（第２冷媒通路）、２５…入口配管、２６…出口配管、２７ａ、２７ｂ、２７ｃ、２７ｄ…弁体端面、２８…弁体テーパ面、２８ａ、２８ｂ…冷媒絞り通路、３０、３２…圧縮機回転数と蒸発温度の特性線、３５、３７、２２８…圧縮機回転数と除湿量の特性線、４０…圧縮機回転数と冷媒流量の特性線、４３…冷媒流量と運動エネルギの特性線、４６…運動エネルギと冷媒流動音の特性線、４９…圧縮機回転数と消費電力量の特性線、１６０、１６３、２２４、２２５…圧縮機回転数と冷媒流動音の特性線、５５…浮遊物、５６…膨張弁、１２３…蒸発温度の時間変化線、１２４…圧縮機運転状態線、１２５…除湿弁開閉状態線、１３０…コントローラ、１３１…圧縮機回転数検出制御機器、１３３…室外吹出空気温度検出機器、１３５…室外吸込空気温度検出機器、１３７…室外ファン回転数検出制御機器、１３９…室内吹出空気温湿度検出機器、１４１ａ、１４１ｂ…室内吸込空気温湿度検出機器、１４３…蒸発温度又は除湿絞り装置下流温度検出機器、１４６…室内ファン回転数検出制御機器、１３２、１３４、１３６、１３８、１４０、１４２、１４４、１４５、１４７、２３１…信号線、１５０…弁体、２００…接続通路、２１２…入口配管の軸線、２３０…入力装置。
【図１】
0003817392.tif 000002
【図２】
0003817392.tif 000003
【図３】
0003817392.tif 000004
【図４】
0003817392.tif 000005
【図５】
0003817392.tif 000006
【図６】
0003817392.tif 000007
【図７】
0003817392.tif 000008
【図８】
0003817392.tif 000009
【図９】
0003817392.tif 000010
【図１０】
0003817392.tif 000011
【図１１】
0003817392.tif 000012
【図１２】
0003817392.tif 000013
【図１３】
0003817392.tif 000014
【図１４】
0003817392.tif 000015
【図１５】
0003817392.tif 000016
【図１６】
0003817392.tif 000017
【図１７】
0003817392.tif 000018
【図１８】
0003817392.tif 000019
【図１９】
0003817392.tif 000020
【図２０】
0003817392.tif 000021
【図２１】
0003817392.tif 000022
【図２２】
0003817392.tif 000023
【図２３】
0003817392.tif 000024
【図２４】
0003817392.tif 000025
【図２５】
0003817392.tif 000026
【図２６】
0003817392.tif 000027
【図２７】
0003817392.tif 000028
【図２８】
0003817392.tif 000029
【図２９】
0003817392.tif 000030
【図３０】
0003817392.tif 000031
【図３１】
0003817392.tif 000032
【図３２】
0003817392.tif 000033